(57)【要約】【課題】  製作、加工が簡単で、製作コストが安価につく上、コードの取替え時においてはコードを簡易迅速に巻回操作することができるロータリカッタの提供。【解決手段】  回転して草等の刈払いを行なうコードと、該コードを収納しかつ間欠回動しながら該コードを繰り出すリールと、該リールを収納するケース本体および該ケース本体を覆うカバーと、前記ケースから突出し押圧することにより軸方向に移動可能でありかつ前記リールを間欠回動させる押圧体とからなる刈払い機用ロータリカッタにおいて、前記リールと押圧体がそれぞれ別体で構成され、かつ前記押圧体は前記ケース本体に着脱可能に装着され、該押圧体を外方へ付勢するスプリングおよび、前記リールを前記ケース側に付勢するスプリングが軸方向に組込まれ、前記リールと押圧体がそれぞれ別々に弾性支持された構成となしたことを特徴とする。【選択図】    図２
2010029075.tif 000002
【特許請求の範囲】
【請求項１】
回転して草等の刈払いを行なうコードと、該コードを収納しかつ間欠回動しながら該コードを繰り出すリールと、該リールを収納するケース本体および該ケース本体を覆うカバーと、前記ケースから突出し押圧することにより軸方向に移動可能でありかつ前記リールを間欠回動させる押圧体とからなる刈払い機用ロータリカッタにおいて、前記リールと押圧体がそれぞれ別体で構成され、かつ前記押圧体は前記ケース本体に着脱可能に装着され、該押圧体を外方へ付勢するスプリング及び、前記リールを前記ケース側に付勢するスプリングの少なくとも２個のスプリングが軸方向に組込まれ、前記リールと押圧体がそれぞれ別々に弾性支持された構成となしたことを特徴とする刈払い機用ロータリカッタ。
【請求項２】
前記押圧体と前記ケース本体との間にリテーナを有する請求項１に記載の刈払い機用ロータリカッタ。
【請求項３】
前記リテーナが前記押圧体と一体または別体となしている請求項２に記載の刈払い機用ロータリカッタ。
【請求項４】
前記リールにコード嵌挿用凹溝が径方向に設けられている請求項１乃至３のいずれか１項に記載の刈払い機用ロータリカッタ。
【発明の詳細な説明】
【技術分野】
【０００１】
本発明は、原動機等の動力により回転軸を介して回転駆動されるケースの半径方向に延出されたコード（主にナイロン製）により草等の刈払い作業を行なうための刈払い機用ロータリカッタに関するものである。
【背景技術】
【０００２】
従来、この種のロータリカッタとしては、リールにナイロンコードを収納し、コードが摩耗した時、これを引き出すために、回転中にカッターを地面に押圧したり、叩いてコードを引き出すか、あるいはカッターの回転を上げることによりコードを引出す方式のものが知られている。この種のロータリカッタは、コードが摩耗しリールに収納されているコードが消耗すると、ロータリカッタを分解してリールを取出し、新しいコードを巻付けて、再び構成部品を組み直す必要があった。しかしながら、このような方式では、刈払いの作業中にこのような作業を行うことは非常に面倒であり刈払い作業上不都合であるのみならず、ロータリカッタを分解してリールを取出す際に、リールの関連部品や他の構成部品も同時に取り外されるため、これらの構成部品を紛失するおそれが多分にあった。このため、コードが消耗した場合の取替え作業を簡易化したものや、ロータリカッタの組立分解を行うことなくコードの取替えを行うことが可能なロータリカッタとして、例えば、リールの筒体部（コード巻回部）に貫通孔を穿設し、コードを前記貫通孔に通してリールの筒体部に巻付けるように構成したロータリカッタが提案されている（特許文献１〜３等参照。）。
【特許文献１】実用新案登録第２５０９１９９号公報
【特許文献２】特開２００５−１２４５０１号公報
【特許文献３】特表２００６−５２４８３７号公報
【発明の開示】
【発明が解決しようとする課題】
【０００３】
しかしながら、前記した特許文献１〜３に記載の従来のロータリカッタの場合は、ロータリカッタを分解してリールを外部に取出すことなくコードの取替えを行うことができるという利点があるが、例えば特許文献１に記載されているロータリカッタの場合は、リールの筒体部（コード巻回部）の外周面と内周面の間に、内周面に設けないで回転軸線に対して直交するように穿設するコード通し孔をそのコード挿入口と、ケースに設けるガイド孔の上下位置が同一水平面となるように設ける必要があり、そのコード通し孔とガイド孔を形成するのに製作、加工が容易には行えず、ロータリカッタの製作コストが比較的高くつくという欠点があり、また、特許文献２に記載されているロータリカッタの場合は、２層のリールの上下にコードを振り分けて巻付ける構造であって、その仕切り部にコードを上下に振り分けるためのコード挿通孔が設けられた構造となっているため、リールの構造が比較的複雑で、その製作、加工に多くの手間と時間を要し、ロータリカッタの製作コストが比較的高くつくという欠点がある。さらに、特許文献３に記載されているロータリカッタの場合は、リールがその軸芯に設けられた円筒状の固定ヘッドと該固定ヘッドに外嵌されたスプール（コード巻回部）の二つの部品で構成され、かつスプールは特許文献２に記載されているロータリカッタのものと同様、上下にコードを振り分けて巻付ける構造であって、その仕切り部に該スプールおよび固定ヘッドを貫通してコードを上下に振り分けるためのコード挿通孔が設けられた構造となっているため、リールの構造がより複雑で、その製作、加工により多くの手間と時間を要し、ロータリカッタの製作コストがさらに高くつくという欠点がある。またさらに、前記した特許文献１〜３に記載の従来のロータリカッタは、リールにコードの巻付けを行う際の巻回操作に比較的時間がかかるという共通の欠点がある。
【０００４】
本発明は、上記従来の欠点を解消し、製作、加工が簡単で、製作コストが安価につく上、コードの取替え時においてはコードを簡易迅速に巻回操作することができるロータリカッタを提供することを目的とするものである。
【課題を解決するための手段】
【０００５】
本発明にかかる刈払い機用ロータリカッタは、リールと押圧体がそれぞれ別体で構成され、かつ該リールと押圧体をそれぞれ別々に軸方向に移動可能な構成となしたもので、その要旨は、回転して草等の刈払いを行なうコードと、該コードを収納しかつ間欠回動しながら該コードを繰り出すリールと、該リールを収納するケースおよび該ケースを覆うカバーと、前記ケースから突出し押圧することにより軸方向に移動可能でありかつ前記リールを間欠回動させる押圧体とからなる刈払い機用ロータリカッタにおいて、前記リールと押圧体が分離され、かつ前記押圧体は前記ケース本体に着脱可能に装着され、該押圧体を外方へ付勢するスプリングおよび、前記リールを前記ケース側に付勢するスプリングの少なくとも２個のスプリングが軸方向に組込まれた構成となし、前記リールと押圧体がそれぞれ別々に弾性支持された構成となしたことを特徴とするものである。
また、本発明の刈払い機用ロータリカッタは、前記押圧体と前記ケース本体との間に前記押圧体と一体または別体となしたリテーナを設けることを好ましい態様とするものである。さらに、本発明の刈払い機用ロータリカッタは、前記リールにコード嵌挿用凹溝が径方向に設けられていることを好ましい態様とするものである。
【発明の効果】
【０００６】
本発明の刈払い機用ロータリカッタは、リールと押圧体がそれぞれ別体で構成されているので、特にコードの取替え作業においては、押圧体は上下に移動せず回転させることができるので、コードを簡易迅速かつ確実に巻回操作することができ、その上、リールに形成するコード嵌挿用凹溝の効果も加わって、リールに対するコードの装着を簡易迅速に行え、さらに、構造的に部品点数も少なく製作、加工が容易に行え、製作コストも安価につく。また、コードの取替え時にリールの関連部品や他の構成部品を紛失するおそれもほとんどない。
【発明を実施するための最良の形態】
【０００７】
図１〜図２は本発明に係る刈払い機用ロータリカッタの一実施例を示し、図１はカバーを外した状態を示す平面図、図２は同上の刈払い機用ロータリカッタの縦断正面図であり、１はケース、２はカバー、３はリール、４は押圧体、５は結合ねじ、６はリテーナ、７はワッシャー、８ａ、８ｂはスプリング、９はコードガイド、１０はコード、１１はナット部材である。
【０００８】
図１〜図２に示す本発明の刈払い機用ロータリカッタは当該ロータリカッタ（押圧体４）を叩いてコードを繰り出す方式であって、その構造はケース１の内側中央部に形成した凹部１−１にリール３の底面部に形成した凹部３−１の部分を軸方向にスライド可能かつ回動可能に凹凸嵌合させ、さらに内側中央部に突設したねじ穴４−１ａ付き結合用筒部４−１に筒状のリテーナ６を外嵌した断面凹形の円形の押圧体４の前記リテーナ６付き結合用筒部４−１を、ケース１の凹部１−１の中央部に設けた貫通孔１−１ａとリール３の凹部３−１の中央部に設けた貫通孔３−１ａに回動可能に貫通させると共に、リール３の底面部に形成した凹部３−１の底面中央部の円周上に下向きに突設した係合突起３−１ｂを前記リテーナ６に形成した係合溝６−２に嵌合させると共に、前記リテーナ６の下部外周に水平に突設した結合用フランジ部６−１をケース１の凹部１−１の底面部とリール３の凹部３−１の底面部との間に挟んだ状態で、当該リテーナ６とねじ穴４−１ａ付き結合用筒部４−１とをワッシャー７を介して結合ねじ５にて締付けて押圧体４をケース１に取付けると共に、該押圧体４はケース１との間に介在させたスプリング８ａにて軸方向に移動可能となし、さらに前記リール３の凹部３−１の底面部とワッシャー７との間に介在させたスプリング８ｂにて当該リール３を軸方向に移動可能に弾性支持された構造となっている。なお、前記押圧体４と前記ケース１との間に設けるリテーナ６は、ここでは押圧体４と別体となしたものを用いているが、押圧体４と一体に設けてもよいことはいうまでもない。
また、前記リール３には、その上面側に当該リールの中心を通る直径方向にコード嵌挿用凹溝３−２が設けられ、このコード嵌挿用凹溝３−２と同一直線上にコードガイド９がケース１とカバー２とからなる本体の外周端部に設けられている。なお、このコードガイド９は、リング状のものに限らず、中央部に前記コード嵌挿用凹溝３−２と同一幅の凹溝が設けられたもの（図示せず）でもよいことはいうまでもない。１１はカバー２の中央部に固着された、原動機等の駆動回転軸（図示せず）を連結するためのナット部材である。
【０００９】
上記構成の刈払い機用ロータリカッタは、ケース１とリール３、リール３とカバー２がそれぞれ凹凸嵌合方式にて係合する構造となっており、押圧体４を地面に叩きつけると該押圧体４が内方に押されることによりケース１とリール３の係合（噛合い）が外れて、リール３が回転し、リール３に巻付けられたコード１０が繰り出される仕組みとなすとともに、内方に押圧されたリール３がカバー２と係合し、一旦回転が停止するが、スプリング８ａの弾性力で元の位置に戻り、再度ケース１とリール３が係合し、リール３が固定される仕組みとなっている。
【００１０】
上記図１〜図２に示す構成の刈払い機用ロータリカッタにおいて、コードが消耗した場合のコードの取替え作業を行う際は、カバー２を取り外し、ケース１に係合されている空状態のリール３に形成したコード嵌挿用凹溝３−２および該コード嵌挿用凹溝３−２と同一直線上に配置したコードガイド９に、所望長さの長尺の新しいコード１０の中央部に位置する部分を上から嵌入して装着すると共に、該コードの両端部をそれぞれコードガイド９より適当長さ突出させた状態で、リール３と別体の押圧体４の部分を把持して当該リールを手動で回転させてリール３にコード９を巻いていく。このコード巻取り時、リール３はケース１とリール３、リール３とカバー２の凹凸嵌合方式による係合機構により、スプリング８ｂを介してリテーナ６の外周に沿って上下に移動するが、該リール３と別体の押圧体４は上下に移動せず回転させることができるので、コード１０の巻回操作を簡易迅速に行うことができる。また、リールに形成したコード嵌挿用凹溝３−２に新しいコードを嵌入、装着させた後、リール３をケース１に固定した状態でコードを巻回することができるので、リール３に対するコード１０の装着および巻回作業を簡易迅速に行うことができる。さらに、コードの取替え作業においては、前記のようにカバー２を取り外すだけでよく、他の構成部品は取り外さないため、ロータリカッタの構成部品を紛失するおそれもほとんどない。
【産業上の利用可能性】
【００１１】
本発明の刈払い機用ロータリカッタは、リールと押圧体がそれぞれ別体で構成されているので、特にコードの取替え作業においては、コードを迅速かつ確実に巻回操作することができ、リールに対するコードの装着を簡易迅速に行え、さらに、構造的に部品点数も少なく製作、加工が容易に行え、製作コストも安価につく。また、コードの取替え時にリールの関連部品や他の構成部品を紛失するおそれもほとんどない。したがって、本発明の刈払い機用ロータリカッタは、芝生や雑草の刈払い機用として極めて実用性に富むものである。
【図面の簡単な説明】
【００１２】
【図１】本発明に係る刈払い機用ロータリカッタの一実施例を示すカバーを外した状態の平面図である。
【図２】同上の刈払い機用ロータリカッタの縦断正面図である。
【符号の説明】
【００１３】
１  ケース
２  カバー
３  リール
４  押圧体
５  結合ねじ
６  リテーナ
７  ワッシャー
８ａ、８ｂ  スプリング
９  コードガイド
１０  コード
１１  ナット部材
【図１】
2010029075.tif 000003
【図２】
2010029075.tif 000004